(57)【要約】【課題】  機器ケースに確実に固定できると共に、機器ケースから簡単に取り外すことができるスタンド機構およびそれを備えた時計を提供する。【解決手段】  支持突起部６が設けられたスタンド５と、このスタンド５を収納する収納部４に支持突起部６が挿入される第１、第２の各挿入部７、８が互いに異なる位置で形成された時計ケース１と、支持突起部６が第２の挿入部８に挿入された状態でスタンド５が時計ケース１から離れる方向に予め定められた角度回転した際に、支持突起部６を第２の挿入部８に３支点部で保持する保持部１０と、を備えている。従って、スタンド５を収納部４内に収納したときの支持突起部６の位置と、スタンド５で時計ケース１を立て掛けたときの支持突起部６の位置と、を変えることができると共に、支持突起部６を第２の挿入部８に挿入して回転させるだけで、時計ケース１に対して傾けて取り付けることができる。【選択図】        図９
2015140856.tif 000002
【特許請求の範囲】
【請求項１】
支持突起部が設けられたスタンドと、
前記スタンドを収納する収納部に前記支持突起部が挿入される第１の挿入部が形成されていると共に、前記第１の挿入部と異なる位置に第２の挿入部が形成されたケースと、
前記支持突起部が前記第２の挿入部に挿入された状態で前記スタンドが前記ケースから離れる方向に予め定められた角度回転した際に、前記支持突起部を前記第２の挿入部に３支点部で保持する保持部と、
を備えていることを特徴とするスタンド支持機構。
【請求項２】
請求項１に記載のスタンド機構において、前記保持部の前記３支点部は、前記支持突起部が前記第２の挿入部に挿入した状態で前記スタンドが回転する際の回転支点部と、前記スタンドが予め定められた角度に回転した際に前記支持突起部が当接する当接支点部と、前記支持突起部が前記当接支点部に当接した際に前記支持突起部を弾力的に係止するストッパー支点部と、を有していることを特徴とするスタンド機構。
【請求項３】
請求項１または請求項２に記載のスタンド機構において、前記支持突起部には、前記スタンドが前記回転支点部を中心に回転する際に、前記第２の挿入部の縁部に接触して摺動する湾曲部が設けられていることを特徴とするスタンド機構。
【請求項４】
請求項１〜請求項３のいずれかに記載のスタンド機構において、前記第２の挿入部に弾性変形可能に設けられた弾性支持部を備え、この弾性支持部に前記ストッパー支点部が設けられ、前記支持突起部が前記回転支点部を中心に回転する際に、前記支持突起部によって前記弾性支持部が弾性変形して前記支持突起部を前記ストッパー支点部に弾力的に係止させることを特徴とするスタンド機構。
【請求項５】
請求項１〜請求項３のいずれかに記載のスタンド機構において、前記支持突起部に弾性変形可能に設けられた弾性突起部を備え、前記支持突起部が前記回転支点部を中心に回転して前記第２の挿入部に設けられた前記ストッパー支点部に当接した際に、前記弾性突起部が弾性変形して前記ストッパー支点部に弾力的に係止されることを特徴とするスタンド機構。
【請求項６】
請求項１〜請求項５のいずれかに記載されているスタンド機構を備えていることを特徴とする時計。
【発明の詳細な説明】
【技術分野】
【０００１】
この発明は、時計や表示デバイスなどの電子機器、または写真立てなどに用いられるスタンド機構およびそれを備えた時計に関する。
【背景技術】
【０００２】
例えば、平面型の表示デバイスなどの電子機器においては、特許文献１に記載されているように、機器ケースをスタンドによって卓上などの載置面上に立て掛けるスタンド機構を備えたものが知られている。
【先行技術文献】
【特許文献】
【０００３】
【特許文献１】特開２００９−５３５０２号公報
【０００４】
この種のスタンド機構は、機器ケースの裏面にスタンドを収納する収納凹部を設け、この収納凹部内に支持軸を設け、この支持軸をスタンドの端部に設けられた長孔内に挿入させることにより、支持軸を中心にスタンドを回転可能に取り付けた構成になっている。
【０００５】
この場合、収納凹部内には、スタンドの先端部が挿入してスタンドを収納凹部内に配置する第１の取付孔と、スタンドの先端部が挿入してスタンドを第１の角度で傾ける第２の取付孔と、スタンドの先端部が挿入してスタンドを第２の角度で傾ける第３の取付孔と、が設けられている。
【０００６】
このようなスタンド機構では、スタンドの先端部を収納凹部内の第１の取付孔に挿入すると、スタンドを収納凹部内に収納することができ、スタンドの先端部を収納凹部内の第２の取付孔に挿入すると、スタンドを機器ケースに対して第１の角度で傾けて立て掛けることができ、スタンドの先端部を収納凹部内の第３の取付孔に挿入すると、スタンドを機器ケースに対して第２の角度で傾けて立て掛けることができる。
【発明の概要】
【発明が解決しようとする課題】
【０００７】
しかしながら、このようなスタンド機構においては、機器ケースを第１の角度と第２の角度とのいずれの角度でも傾けて立て掛けることができるが、機器ケースを動かした際に機器ケースからスタンドが抜け易いという問題がある。
【０００８】
この発明が解決しようとする課題は、機器ケースに確実に固定できると共に、機器ケースから簡単に取り外すことができるスタンド機構およびそれを備えた時計を提供することである。
【課題を解決するための手段】
【０００９】
この発明は、支持突起部が設けられたスタンドと、前記スタンドを収納する収納部に前記支持突起部が挿入される第１の挿入部が形成されていると共に、前記第１の挿入部と異なる位置に第２の挿入部が形成されたケースと、前記支持突起部が前記第２の挿入部に挿入された状態で前記スタンドが前記ケースから離れる方向に予め定められた角度回転した際に、前記支持突起部を前記第２の挿入部に３支点部で保持する保持部と、を備えていることを特徴とするスタンド支持機構である。
【発明の効果】
【００１０】
この発明によれば、スタンドを収納部内に収納したときの支持突起部の位置と、スタンドでケースを立て掛けたときの支持突起部の位置と、を変えることができる。このため、支持突起部を第１の挿入部に挿入した際に、スタンドをケースの外周から食み出さずに収納することができ、また支持突起部を第２の挿入部に挿入してスタンドをケースから離れる方向に回転させるだけで、簡単にスタンドをケースに対して傾けた状態で取り付けることができる。
【図面の簡単な説明】
【００１１】
【図１】この発明に係るスタンド機構を時計に適用した第１実施形態において、スタンド機構によって時計ケースを立て掛けた状態を示した側面図である。
【図２】図１に示された時計のスタンドを時計ケースの収納部に収納した状態を示した裏面図である。
【図３】図２に示された時計を立て掛けるために、スタンドを時計ケースの収納部の異なる位置に配置した状態を示した裏面図である。
【図４】図２に示された時計のＡ−Ａ矢視における要部の拡大断面図である。
【図５】図４に示されたスタンドの支持突起部を示し、（ａ）は時計ケースの１２時側から見た要部の拡大斜視図、（ｂ）は時計ケースの６時側から見た要部の拡大斜視図である。
【図６】図４に示された時計ケースの収納部における第１、第２の各挿入部の裏面側を示し、（ａ）は時計ケースの１２時側から見た要部の拡大斜視図、（ｂ）は時計ケースの６時側から見た要部の拡大斜視図である。
【図７】図４に示されたスタンドの支持突起部を第２の挿入部に挿入した状態を示した要部の拡大断面図である。
【図８】図７に示されたスタンドを時計ケースから離れる方向に引き上げて支持突起部を回転させた状態を示した要部の拡大断面図である。
【図９】図８に示されたスタンドを予め定められた角度に傾けて、支持突起部を保持部の３支点部で保持した状態を示した要部の拡大断面図である。
【図１０】この発明に係るスタンド機構を時計に適用した第２実施形態において、スタンドの支持突起部を第１の挿入部に挿入した状態を示した要部の拡大断面図である。
【図１１】図１０に示されたスタンドの支持突起部を第２の挿入部に挿入した状態を示した要部の拡大断面図である。
【図１２】図１１に示されたスタンドを時計ケースから離れる方向に引き上げて、支持突起部を回転させた状態を示した要部の拡大断面図である。
【図１３】図１２に示されたスタンドを予め定められた角度に傾けて、支持突起部を保持部の３支点部で保持した状態を示した要部の拡大断面図である。
【図１４】第２実施形態において第１の挿入部と第２の挿入部との間隔を広げた変形例を示し、（ａ）はスタンドの支持突起部を第１の挿入部に挿入した状態を示した要部の拡大断面図、（ｂ）はスタンドの支持突起部を第２の挿入部に挿入した状態を示した要部の拡大断面図、（ｃ）は（ｂ）の状態でスタンドを予め定められた角度に傾けて、支持突起部を保持部の３支点部で保持した状態を示した要部の拡大断面図である。
【図１５】この発明に係るスタンド機構を時計に適用した第３実施形態において、スタンドの支持突起部を第１の挿入部に挿入した状態を示した要部の拡大断面図である。
【図１６】図１５に示されたスタンドの支持突起部を示し、（ａ）は時計ケースの１２時側から見た要部の拡大斜視図、（ｂ）は時計ケースの６時側から見た要部の拡大斜視図である。
【図１７】図１５に示された時計ケースの収納部における第１、第２の各挿入部の裏面側を示し、（ａ）は時計ケースの１２時側から見た要部の拡大斜視図、（ｂ）は時計ケースの６時側から見た要部の拡大斜視図である。
【図１８】図１５に示されたスタンドの支持突起部を第２の挿入部に挿入した状態を示した要部の拡大断面図である。
【図１９】図１８に示されたスタンドを予め定められた角度に傾けて、支持突起部を保持部の３支点部で保持した状態を示した要部の拡大断面図である。
【発明を実施するための形態】
【００１２】
（第１実施形態）
以下、図１〜図９を参照して、この発明を時計に適用した第１実施形態について説明する。
この時計は、図１〜図３に示すように、時計ケース１を備えている。この時計ケース１は、フロントケース１ａとリアケース１ｂとを備えている。フロントケース１ａは、その外形が円形状に形成されている。
【００１３】
リアケース１ｂは、図１〜図３に示すように、その外形がフロントケース１ａの外形よりも小さい円形状に形成され、かつフロントケース１ａの裏面側に突出して設けられた構成になっている。このリアケース１ｂの裏面における１２時側には、壁掛け用の取付孔２が設けられている。また、この時計ケース１の裏面、つまりリアケース１ｂの裏面には、スタンド機構３が設けられている。
【００１４】
このスタンド機構３は、図１〜図３に示すように、リアケース１ｂの裏面に設けられた収納部４と、この収納部４内に着脱可能に取り付けられて時計ケース１を卓上などの載置面Ｔ上に立て掛けるスタンド５と、を備えている。収納部４は、３時側と９時側との左右両側に位置する一対の溝部４ａを有している。これら一対の溝部４ａは、１２時側（図２では上辺側）の各端部が時計ケース１の中心より上側に位置し、６時側（図２では下辺側）の各端部がリアケース１ｂの外周面から開放された構成になっている。
【００１５】
図１および図３は、スタンド機構３によって時計ケース１を立て掛けた状態を示した図である。図１は側面図、図３は裏面図である。図３は、収納部４の第２の挿入部８にスタンド５を配置した状態を示す。図２は、スタンド５を収納部４に収納した状態の裏面図であり、収納部４の第１の挿入部７にスタンド５を配置した状態を示す。
【００１６】
スタンド５は、図２、図３に示すように、左右両側に位置する一対の脚部５ａと、下辺部側に位置する脚部５ｂと、を有し、これが連続して形成されている。このスタンド５は、図２に示すように、一対の脚部５ａが収納部４の一対の溝部４ａ内に配置された状態で、６時側（図２では下辺側）の各端部がリアケース１ｂの外周から突出して配置されるように構成されている。
【００１７】
これにより、スタンド５は、図２に示すように、その下辺部側に位置する脚部５ｂがリアケース１ｂの６時側（図２では下部側）の外周面に接近した状態で、フロントケース１ａの外周から食み出すことがなく、フロントケース１ａの裏面に対応して配置されるように構成されている。この場合、図３〜図５に示すスタンド５の脚部５ａ、および図３に示す脚部５ｂは、図５（ｂ）に一方の凹部が形成されているように、他方の凹部も含めて断面がＨ形状に形成されている。なお、断面の形状はＨ形状でなくても良い。
【００１８】
また、一対の脚部５ａの１２時側に位置する各端部には、それぞれ支持突起部６が時計ケース１の収納部４内に向けて突出して設けられている。このため、収納部４の一対の溝部４ａにおける１２時側の各端部には、スタンド５の各支持突起部６がそれぞれ挿入する第１の挿入部７と、この第１の挿入部７と異なる位置で各支持突起部６がそれぞれ挿入する第２の挿入部８と、が設けられている。
【００１９】
第１の挿入部７は、図４および図６に示すように、収納部４の溝部４ａにおける１２時側（図４では左側）の端部に設けられた凹部であり、その深さが収納部４の溝部４ａよりも深く形成されている。この場合、第１の挿入部７は、その６時側の内壁部が後述する当接支点部１２から収納部４の底部に向けて傾斜する傾斜部７ａに形成されている。
【００２０】
これにより、第１の挿入部７は、図４に示すように、リアケース１ｂの内部に支持突起部６が裏面側から挿入された際に、図２に示すように、スタンド５の一対の脚部５ａを収納部４の一対の溝部４ａ内に収納させると共に、スタンド５の下辺部側に位置する脚部５ｂをリアケース１ｂの６時側（図２では下部側）の外周面に接近させた状態で、フロントケース１ａの外周から食み出さないように、フロントケース１ａの裏面に対応させて配置させるように構成されている。
【００２１】
また、第２の挿入部８は、図６（ａ）および図６（ｂ）に示すように、収納部４の溝部４ａに設けられた四角形状の貫通孔である。この第２の挿入部８は、図４および図６に示すように、第１の挿入部７から６時側にずれた位置、つまり第１の挿入部７の傾斜部７ａの上端部から６時側に離れた位置に設けられている。
【００２２】
これにより、第２の挿入部８は、図７に示すように、スタンド５の支持突起部６が裏面側から挿入された際に、スタンド５の一対の脚部５ａを収納部４の一対の溝部４ａ内に配置させると共に、下部側に位置する脚部５ｂをフロントケース１ａの裏面に向けて突出させ、かつフロントケース１ａの６時側の外周面から更に突出させた状態（図示せず）で配置させるように構成されている。
【００２３】
ところで、このスタンド機構３は、図７〜図９に示すように、支持突起部６が第２の挿入部８に挿入した状態で、スタンド５が時計ケース１から離れる方向（図９では反時計回り）に回転した際に、支持突起部６を第２の挿入部８に３支点部で保持する保持部１０を備えている。すなわち、この保持部１０は、図９に示すように、スタンド５の支持突起部６を３支点部で保持することにより、時計ケース１の裏面に対して予め定められた角度でスタンド５を傾けた状態で固定するように構成されている。
【００２４】
この保持部１０は、図７〜図９に示すように、支持突起部６が第２の挿入部８に挿入した状態で、スタンド５が時計ケース１の裏面から離れる方向（図９では反時計回り）に回転する際の回転支点部１１と、スタンド５が予め定められた角度、例えば４０度前後の角度に回転した際に支持突起部６が当接する当接支点部１２と、支持突起部６が当接支点部１２に当接した際に支持突起部６を弾力的に係止するストッパー支点部１３と、を備えている。
【００２５】
回転支点部１１は、図７〜図９に示すように、第２の挿入部８における６時側（図７では右側）の縁部に軸形状に形成されている。この回転支点部１１は、支持突起部６が第２の挿入部８に挿入された際に、支持突起部６とスタンド５の脚部５ａとの角部に設けられた円弧状の受け部６ａが回転可能に接触するように構成されている。これにより、スタンド５は、受け部６ａが回転支点部１１に接触した状態で、この回転支点部１１を中心に回転するように構成されている。
【００２６】
当接支点部１２は、図７〜図９に示すように、第２の挿入部８における１２時側（図７では左側）の縁部に傾斜して形成されている。この当接支点部１２は、支持突起部６が第２の挿入部８に挿入した状態で、スタンド５が予め定められた角度、例えば４０度前後の角度に回転した際に、スタンド５の脚部５ａに位置する支持突起部６の上端部に設けられた規制部６ｂが当接してスタンド５の回転位置を規制するように構成されている。
【００２７】
ストッパー支点部１３は、図６〜図９に示すように、第２の挿入部８における１２時側（図７では左側）の縁部から下側に向けて設けられたほぼＬ字形状の弾性支持部１４の下部先端に設けられている。これにより、ストッパー支点部１３は、スタンド５が予め定められた角度、例えば４０度前後の角度に回転し、支持突起部６の上側当接部６ｂが当接支点部１２に当接した際に、支持突起部６の下部後端に設けられた当接部６ｃが弾力的に当接して支持突起部６を弾力的に係止するように構成されている。
【００２８】
この場合、弾性支持部１４は、図６（ａ）および図６（ｂ）に示すように、第２の挿入部８における１２時側（図６（ａ）では左側）の縁部から下側に垂下された下り部１４ａと、この下り部１４ａの下側に設けられて６時側（図６（ａ）では右側）に向けて湾曲する湾曲部１４ｂと、この湾曲部１４ｂの先端から収納部４の溝部４ａと平行に延びる延出部１４ｃと、を有している。これにより、ストッパー支点部１３は、図９に示すように、弾性支持部１４の延出部１４ｃの先端に上向きに傾斜して設けられている。
【００２９】
この弾性支持部１４は、図８に示すように、支持突起部６が第２の挿入部８に挿入した状態で、支持突起部６が回転支点部１１を中心に回転する際に、支持突起部６の下端部によって押されて弾性変形するように構成されている。また、この弾性支持部１４は、支持突起部６の下端部によって弾性変形して支持突起部６の下端部が通過した際に、元の形状に弾性復帰して、ストッパー支点部１３を支持突起部６の当接部６ｃに弾力的に当接させて係止させるように構成されている。
【００３０】
一方、支持突起部６には、図５および図８に示すように、支持突起部６が回転支点部１１を中心に回転する際に、第２の挿入部８における１２時側（図８では左側）の縁部に位置する当接支点部１２の内端部に接触して摺動する湾曲部１５が設けられている。この湾曲部１５は、支持突起部６の受け部６ａが接触する回転支点部１１を中心とする円弧状に形成されている。すなわち、この湾曲部１５は、支持突起部６の１２時側の端面に、支持突起部６の規制部６ｂの下端から支持突起部６の上下方向におけるほぼ中間部に亘って設けられている。
【００３１】
次に、この時計の作用について説明する。
この時計を壁に掛けて使用する際には、まず、スタンド５を時計ケース１の収納部４に収納する。このときには、図２に示すように、スタンド５の各支持突起部６を収納部４の各第１の挿入部７に挿入させて、スタンド５の一対の脚部５ａを収納部４の一対の溝部４ａ内に配置する。すると、下部側に位置する脚部５ｂが収納部４からリアケース１ｂの外周側から突出してフロントケース１ａの裏面に配置される。
【００３２】
これにより、スタンド５が、時計ケース１の外周から食み出すことがなく、収納部４内に収納されると共に、フロントケース１ａの裏面に配置される。この状態で、壁や柱などに設けられたフック部（図示せず）を時計ケース１の裏面に設けられた取付孔２に挿入することにより、時計ケース１が壁や柱に取り付けられる。このときには、スタンド５がリアケース１ｂの裏面からその裏面方向に突出することがないので、時計ケース１を良好に壁や柱に取り付けることができる。
【００３３】
また、この時計を卓上などの載置面Ｔ上に立て掛けて使用する場合には、まず、スタンド５を時計ケース１の収納部４から取り外す。このときには、収納部４から突出してフロントケース１ａの裏面に露出したスタンド５の６時側に位置する脚部５ｂを時計ケース１の裏面から離れる方向に引き上げる。すると、スタンド５の各支持突起部６が収納部４の各第１の挿入部７内で反時計回りに回転しながら引き出される。これにより、スタンド５が時計ケース１の収納部４内から取り出される。
【００３４】
この取り出したスタンド５の各支持突起部６を収納部４の各第２の挿入部８に挿入する。このときには、図３に示すように、スタンド５の一対の脚部５ａが収納部４の一対の溝部４ａ内に配置されると共に、下部側に位置する脚部５ｂが収納部４からフロントケース１ａの裏面に突出し、かつフロントケース１ａの６時側の外周面から更に突出する。
【００３５】
このときには、図７に示すように、支持突起部６と脚部５ａとの角部に位置する受け部６ａが第２の挿入部８の回転支点部１１に接触し、支持突起部６の湾曲部１５の下部が第２の挿入部８の１２時側の縁部に位置する当接支点部１２の内端部に接触し、支持突起部６の下端部が弾性支持部１４の下部に位置する延出部１４ｃの上側に接近して配置される。
【００３６】
この状態で、フロントケース１ａの６時側の外周面から突出したスタンド５の脚部５ｂを時計ケース１の裏面から離れる方向に引き上げる。すると、図８に示すように、支持突起部６が回転支点部１１を中心に反時計回りに回転する。このときには、支持突起部６の湾曲部１５が当接支点部１２の内端部に接触した状態で摺動すると共に、支持突起部６の下端部が弾性支持部１４の下部の延出部１４ｃを押し下げて弾性支持部１４を弾性変形させる。
【００３７】
そして、スタンド５が引き上げられて予め定められた角度、例えば４０度前後の角度に傾くと、図９に示すように、支持突起部６の規制部６ｂが第２の挿入部８の当接支点部１２に当接して支持突起部６の回転が規制されると共に、支持突起部６の下端部が弾性支持部１４の延出部１４ｃを乗り越える。すると、弾性支持部１４が元の形状に弾性復帰し、その延出部１４ｃの先端のストッパー支点部１３が支持突起部６の下部後端の当接部６ｃに当接する。
【００３８】
これにより、支持突起部６は、図９に示すように、スタンド５を時計ケース１の裏面に対して予め定められた角度、つまり４０度前後の角度で傾けた状態で、保持部１０の３支点部によって第２の挿入部８に保持される。すなわち、支持突起部６は、前側下部の受け部６ａが第２の挿入部８の回転支点部１１に支持され、後端上部の規制部６ｂが第２の挿入部８の当接支点部１２に当接して位置規制され、下部後端の当接部６ｃが第２の挿入部８における弾性支持部１４の延出部１４ｃに設けられたストッパー部１３に弾力的に当接する。
【００３９】
このように、支持突起部６が時計ケース１のリアケース１ｂに設けられた第２の挿入部８に保持されて固定されると、図１に示すように、スタンド５が時計ケース１の裏面に４０度前後の角度に傾いた状態で取り付けられる。このため、このスタンド５によって時計ケース１を卓上などの載置面Ｔ上に立て掛けて配置することができる。
【００４０】
また、スタンド５の支持突起部６を収納部４の第２の挿入部８から取り外す場合には、弾性支持部１４の弾性力に抗してスタンド５を時計ケース１の裏面に向けて押し付ける。このときには、支持突起部６が回転支点部１１を中心に時計回りに回転して、支持突起部６の当接部６ｃが弾性支持部１４の延出部１４ｃの先端に位置するストッパー支点部１３を押し下げて、図８に示すように、弾性支持部１４を弾性変形させる。
【００４１】
これにより、支持突起部６の当接部６ｃが弾性支持部１４のストッパー支点部１３から離脱する。そして、支持突起部６が回転支点部１１を中心に更に時計回りに回転すると、支持突起部６の湾曲部１５が当接支点部１２の内端部に接触した状態で摺動し、支持突起部６の下端部が弾性支持部１４の延出部１４ｃの上側に移動する。この状態で、支持突起部６を引き上げると、支持突起部６が第２の挿入部８から取り出せる。
【００４２】
このように、この時計のスタンド機構３によれば、支持突起部６が設けられたスタンド５と、このスタンド５を収納する収納部４に支持突起部６が挿入する第１の挿入部７が設けられていると共に、この第１の挿入部７と異なる位置に第２の挿入部８が設けられた時計ケース１と、支持突起部６が第２の挿入部８に挿入して、スタンド５が時計ケース１から離れる方向に予め定められた角度に回転した際に、支持突起部６を第２の挿入部８に３支点部で保持する保持部１０と、を備えているので、スタンド５を時計ケース１の外周から食み出さずに収納でき、かつ簡単にスタンド５を時計ケース１に対して傾けて取り付けることができる。
【００４３】
すなわち、この時計のスタンド機構３では、スタンド５を収納部４内に収納したときの支持突起部６の位置と、スタンド５で時計ケース１を載置面Ｔ上に立て掛けたときの支持突起部６の位置と、を変えることができる。このため、支持突起部６を第１の挿入部７に挿入した際に、スタンド５が時計ケース１の外周から食み出すことがなく、時計ケース１の収納部４にスタンド５を収納することができる。
【００４４】
また、この時計のスタンド機構３では、支持突起部６を第２の挿入部８に挿入してスタンド５を時計ケース１から離れる方向に軽い力で回転させるだけで、保持部１０の３支点部によって簡単にスタンド５を時計ケース１に対して傾けた状態で取り付けることができる。これにより、スタンド５と時計ケース１とを単純な形状で形成することができる。
【００４５】
この場合、保持部１０の３支点部は、支持突起部６が第２の挿入部８に挿入した状態でスタンド５が回転する際の回転支点部１１と、スタンド５が予め定められた角度、例えば４０度前後の角度に回転した際に支持突起部６が当接する当接支点部１２と、支持突起部６が当接支点部１２に当接した際に支持突起部６を弾力的に係止するストッパー支点部１３と、を有していることにより、スタンドの５の支持突起部６を第２の挿入部８に確実にかつ良好に保持して固定することができる。
【００４６】
すなわち、スタンド５の支持突起部６は、前側下部の受け部６ａが第２の挿入部８の回転支点部１１に支持され、後端上部の規制部６ｂが第２の挿入部８の当接支点部１２に当接して位置規制され、下部後端の当接部６ｃが第２の挿入部８における弾性支持部１４の延出部１４ｃに設けられたストッパー部１３に弾力的に当接するので、簡単に支持突起部６を第２の挿入部８に固定することができる。
【００４７】
すなわち、このスタンド機構３では、支持突起部６を第２の挿入部８に挿入させて回転させるだけの簡単な操作で、支持突起部６を第２の挿入部８に保持部１０の３支点部によって確実にかつ良好に保持して固定することができると共に、支持突起部６の付け根部分で外力を受け止めることができるので、大きな負荷にも十分に耐えることができる。
【００４８】
また、このスタンド機構３によれば、スタンド５が回転支点部１１を中心に回転する際に第２の挿入部８の縁部に接触して摺動する湾曲部１５が、スタンド５の支持突起部６に設けられていることにより、支持突起部６を第２の挿入部８に挿入させた状態で、回転支点部１１を中心に支持突起部を回転させる際に、支持突起部６の湾曲部１５を第２の挿入部８の縁部に接触させた状態で摺動させることができるので、第２の挿入部８内において支持突起部６がガタツクことがなく、支持突起部６を円滑にかつ良好に回転させることができる。
【００４９】
さらに、このスタンド機構３によれば、第２の挿入部８に弾性変形可能に設けられた弾性支持部１４を備え、この弾性支持部１４にストッパー支点部１３が設けられ、支持突起部６が回転支点部１１を中心に回転する際に、支持突起部６によって弾性支持部１４が弾性変形して支持突起部６をストッパー支点部１３に弾力的に係止させるので、支持突起部６を第２の挿入部８に安定した状態で良好に保持することができる。
【００５０】
すなわち、弾性支持部１４は、第２の挿入部８における１２時側の縁部から下側に垂下された下り部１４ａと、この下り部１４ａの下側に設けられて６時側に向けて湾曲する湾曲部１４ｂと、この湾曲部１４ｂの先端から収納部４の溝部４ａと平行に延びる延出部１４ｃと、を有し、この弾性支持部１４の延出部１４ｃの先端にストッパー支点部１３を設けた構成であるから、支持突起部６が回転支点部１１を中心に回転する際に、支持突起部６によって弾性支持部１４を良好に弾性変形させることができ、この弾性支持部１４の弾性力によってストッパー支点部１３に支持突起部６を弾力的に係止させることができる。
【００５１】
（第２実施形態）
次に、図１０〜図１３を参照して、この発明を時計に適用した第２実施形態について説明する。なお、図１〜図９に示された第１実施形態と同一部分には同一符号を付して説明する。
この時計のスタンド機構２０は、図１０〜図１３に示すように、支持突起部６に設けられた湾曲部２１が第１実施形態と異なる構成であり、これ以外は第１実施形態とほぼ同じ構成になっている。
【００５２】
すなわち、湾曲部２１は、図１１〜図１３に示すように、支持突起部６の受け部６ａが接触する回転支点部１１を中心とする円弧に沿って、支持突起部６の１２時側（図１１では左側）の端面に円弧状に形成されている。これにより、湾曲部２１は、図１２に示すように、スタンド５が回転支点部１１を中心に回転する際に、第２の挿入部８における１２時側（図１２では左側）の縁部に位置する当接支点部１２の内端部に接触して摺動するように構成されている。
【００５３】
この場合、湾曲部２１は、図１１〜図１３に示すように、支持突起部６の規制部６ｂの下端から支持突起部６の当接部６ｃの上端に亘って設けられている。このため、規制部６ｂと湾曲部２１との境界部は、Ｖ字形の溝状に形成されている。これにより、規制部６ｂは、スタンド５の脚部５ａの長手方向に対して約４５度の角度で傾斜するように形成されている。このため、規制部６ｂが当接する当接支点部１２は、収納部４の溝部４ａの上面と同一平面上に設けられており、この当接支点部１２と第２の挿入部８の縁部との角部は、ほぼ９０度の角度で形成されている。
【００５４】
また、当接部６ｃと湾曲部２１との境界部も、図１１〜図１３に示すように、Ｖ字形の溝状に形成されている。これにより、当接部６ｃは、１２時側（図１１では左側）に向けて凸となる山形状に形成されている。すなわち、この当接部６ｃは、規制部６ｂと同様、スタンド５の脚部５ａの長手方向に対して約４５度の角度で傾斜する第１傾斜面２２と、この第１傾斜面２２に対してほぼ９０度の角度で傾斜する第２傾斜面２３と、を有している。
【００５５】
この場合、当接部６ｃは、図１１に示すように、支持突起部６が第２の挿入部８に挿入された際に、弾性支持部１４の延出部１４ｃの上側に接近して配置され、この状態で図１２に示すように支持突起部６が回転支点部１１を中心に反時計回りに回転すると、当接部６ｃの第２傾斜面２３が弾性支持部１４の延出部１４ｃを押し下げて、弾性支持部１４を弾性変形させるように構成されている。
【００５６】
また、この当接部６ｃは、図１３に示すように、規制部６ｂが当接支点部１２に当接した際に、当接部６ｃの第１傾斜面２２が弾性支持部１４の延出部１４ｃの先端に設けられたストッパー支点部１３に当接して弾力的に係止されるように構成されている。このため、ストッパー支点部１３は、弾性支持部１４の延出部１４ｃの先端にほぼ垂直に形成されている。
【００５７】
次に、この時計のスタンド機構２０の作用について説明する。
この時計を卓上などの載置面Ｔ上に立て掛けて使用する場合には、第１実施形態と同様、スタンド５を時計ケース１の収納部４から取り外し、この取り外したスタンド５の各支持突起部６を収納部４の各第２の挿入部８に挿入する。
【００５８】
このときには、図１１に示すように、支持突起部６と脚部５ａとの角部の受け部６ａが第２の挿入部８の回転支点部１１に接触し、支持突起部６の湾曲部２１の中間部が第２の挿入部８の１２時側の縁部に位置する当接支点部１２の内端部に接触し、支持突起部６の下端部が弾性支持部１４の下部に位置する延出部１４ｃの上側に接近して配置される。
【００５９】
この状態で、スタンド５の脚部５ｂを時計ケース１の裏面から離れる方向に引き上げる。すると、図１２に示すように、支持突起部６が回転支点部１１を中心に反時計回りに回転する。このときには、支持突起部６の湾曲部２１が当接支点部１２の内端部に接触した状態で摺動すると共に、支持突起部６の下端部に位置する当接部６ｃの第２傾斜面２３が弾性支持部１４の下部の延出部１４ｃを押し下げて弾性支持部１４を弾性変形させる。
【００６０】
そして、スタンド５が引き上げられて予め定められた角度、つまり４０度前後の角度に傾くと、図１３に示すように、支持突起部６の規制部６ｂが第２の挿入部８の当接支点部１２に当接して支持突起部６の回転が規制されると共に、支持突起部６の下端部に位置する当接部６ｃの第２傾斜面２３が弾性支持部１４の延出部１４ｃを乗り越える。すると、弾性支持部１４が元の形状に弾性復帰し、その延出部１４ｃの先端のストッパー支点部１３が支持突起部６の下部後端に位置する当接部６ｃの第１傾斜面２２に弾力的に当接する。
【００６１】
これにより、支持突起部６は、図１３に示すように、スタンド５を時計ケース１の裏面に対して予め定められた角度、つまり４０度前後の角度で傾けた状態で、保持部１０の３支点部によって第２の挿入部８に保持される。すなわち、支持突起部６は、前側下部の受け部６ａが第２の挿入部８の回転支点部１１に支持され、後端上部の規制部６ｂが第２の挿入部８の当接支点部１２に当接して位置規制され、下部後端の当接部６ｃの第１傾斜面２２が弾性支持部１４の延出部１４ｃの先端に設けられたストッパー部１３に弾力的に当接する。
【００６２】
このように、支持突起部６が時計ケース１のリアケース１ｂに設けられた第２の挿入部８に保持されて固定されると、第１実施形態と同様、スタンド５が時計ケース１の裏面に４０度前後の角度に傾いた状態で取り付けられる。このため、このスタンド５によって時計ケース１を卓上などの載置面Ｔ上に立て掛けて配置することができる。
【００６３】
また、スタンド５の支持突起部６を収納部４の第２の挿入部８から取り外す場合には、第１実施形態と同様、弾性支持部１４の弾性力に抗してスタンド５を時計ケース１の裏面に向けて押し付ける。このときには、支持突起部６が回転支点部１１を中心に時計回りに回転して、支持突起部６の当接部６ｃの第１傾斜面２２が弾性支持部１４の延出部１４ｃの先端に位置するストッパー支点部１３を押し下げて、図１２に示すように、弾性支持部１４を弾性変形させる。
【００６４】
これにより、支持突起部６の当接部６ｃの第１傾斜面２２が弾性支持部１４のストッパー支点部１３を乗り越えて離脱し、当接部６ｃの第２傾斜面２３が弾性支持部１４の延出部１４ｃ上に乗り上げる。そして、支持突起部６が回転支点部１１を中心に更に時計回りに回転すると、支持突起部６の湾曲部２１が当接支点部１２の内端部に接触した状態で摺動し、支持突起部６の当接部６ｃの第２傾斜面２３が弾性支持部１４の延出部１４ｃの上側に移動する。この状態で、支持突起部６を引き上げると、支持突起部６が第２の挿入部８から取り出せる。
【００６５】
このように、この時計のスタンド機構２０によれば、第１実施形態と同様の作用効果があるほか、支持突起部６が回転支点部１１を中心に回転する際に第２の挿入部８の縁部に接触して摺動する湾曲部２１が、スタンド５の支持突起部６に設けられていることにより、支持突起部６を第２の挿入部８に挿入させた状態で、回転支点部１１を中心に支持突起部を回転させる際に、支持突起部６の湾曲部２１を第２の挿入部８の縁部に接触した状態で摺動させることができるので、第２の挿入部８内において支持突起部６がガタツクことがなく、支持突起部６を円滑にかつ良好に回転させることができる。
【００６６】
この場合、湾曲部２１は、支持突起部６の規制部６ｂの下端から支持突起部６の当接部６ｃの上端に亘って設けられているため、規制部６ｂと湾曲部２１との境界部がＶ字形の溝状に形成され、かつ当接部６ｃと湾曲部２１との境界部もＶ字形の溝状に形成されているので、支持突起部６を第２の挿入部８に保持する際に、回転支点部１１、当接支点部１１、ストッパー支点部１３の３支点部によって、第１実施形態の場合よりも支持突起部６を確実にかつ良好に保持して固定することができる。
【００６７】
すなわち、規制部６ｂは、スタンド５の脚部５ａの長手方向に対して約４５度の角度で傾斜するように形成されており、当接部６ｃは、１２時側に向けて凸となる山形状をなし、スタンド５の脚部５ａの長手方向に対して約４５度の角度で傾斜する第１傾斜面２２と、この第１傾斜面２２に対してほぼ９０度の角度で傾斜する第２傾斜面２３と、を有しているので、規制部６ｂを当接支点部１２に確実に当接させて位置規制することができると共に、当接部６ｃの第１傾斜面２２を弾性支持部１４に設けられたストッパー支点部１３に確実に当接させて弾力的に係止させることができる。
【００６８】
なお、上述した第１、第２の各実施形態では、第１の挿入部７と第２の挿入部８とが接近して設けられている場合について述べたが、これに限らず、例えば図１４（ａ）〜図１４（ｃ）に示すように、第１の挿入部７と第２の挿入部８とを所定間隔Ｓだけ十分に離して設けた構成であっても良い。
【００６９】
この場合には、第１の挿入部７の６時側（図１４（ａ）では右側）に位置する傾斜部７ａの上端部から第２の挿入部８の当接支点部１２までの長さを第１、第２の各実施形態よりも十分に長く形成すれば良い。このように、第１の挿入部７と第２の挿入部８との間隔Ｓを長く形成すると、スタンド５の６時側の脚部５ｂを時計ケース６の６時側に長く突出させることができる。これにより、スタンド５によって時計ケース１を最適な角度で立て掛けることができる。
【００７０】
（第３実施形態）
次に、図１５〜図１９を参照して、この発明を時計に適用した第３実施形態について説明する。この場合にも、図１〜図９に示された第１実施形態と同一部分には同一符号を付して説明する。
この時計のスタンド機構２５は、図１５〜図１９に示すように、一対の支持突起部２６を３支点部で保持する保持部２７が第１実施形態と異なる構成であり、これ以外は第１実施形態とほぼ同じ構成になっている。
【００７１】
この場合、一対の支持突起部２６は、図１６（ａ）および図１６（ｂ）に示すように、スタンド５の一対の脚部５ａにおける１２時側の各端部の両側部から収納部４内に向けてそれぞれ突出して形成されている。これら一対の支持突起部２６も、第１実施形態と同様、収納部４内に設けられた第１の挿入部７と第２の挿入部８とに挿入するように構成されている。
【００７２】
保持部２７は、図１５〜図１９に示すように、一対の支持突起部２６が第２の挿入部８に挿入した状態でスタンド５が時計ケース１の裏面から離れる方向に回転する際の回転支点部２８と、スタンド５が予め定められた角度、例えば４０度前後の角度に回転した際に一対の支持突起部２６が当接する当接支点部２９と、一対の支持突起部２６が当接支点部２９に当接した際に一対の支持突起部２６を弾力的に係止するストッパー支点部３０と、を備えている。
【００７３】
回転支点部２８は、図１５〜図１９に示すように、第２の挿入部８における６時側（図１８では右側）の縁部が半円形状に形成されている。この回転支点部２８は、一対の支持突起部２６が第２の挿入部８に挿入された際に、一対の支持突起部２６とスタンド５の脚部５ａとの各角部に設けられた円弧状の各受け部２６ａがそれぞれ回転可能に接触するように構成されている。これにより、一対の支持突起部２６は、各受け部２６ａが回転支点部２８に接触した状態で、この回転支点部２８を中心に回転するように構成されている。
【００７４】
当接支点部２９は、図１８および図１９に示すように、第２の挿入部８における１２時側（図１８および図１９では左側）の縁部に平坦状に形成されている。この当接支点部２９は、一対の支持突起部２６が第２の挿入部８に挿入した状態で、スタンド５が予め定められた角度、例えば４０度前後の角度に回転した際に、一対の支持突起部２６の上部に位置する１２時側の後端に設けられた各規制部２６ｂが当接して一対の支持突起部２６の回転位置を規制するように構成されている。
【００７５】
この場合、一対の支持突起部２６の各規制部２６ｃは、図１５および図１６に示すように、一対の支持突起部２６の上部に位置する１２時側の後端からほぼ円弧状に突出した突起部の下部にそれぞれ傾斜して設けられている。これにより、各規制部２６ｃは、図１９に示すように、一対の支持突起部２６が予め定められた角度、例えば４０度前後の角度に回転した際に、第２の挿入部８の縁部に設けられた当接支点部２９に当接して、一対の支持突起部２６の回転位置を規制するように構成されている。
【００７６】
ストッパー支点部３０は、図１５および図１７に示すように、第２の挿入部８の６時側（図１５および図１７では右側）に位置する両側縁部の下部にそれぞれ６時側に向けて突出して設けられた各固定突起である。この場合、第２の挿入部８の縁部には、６時側を除いて、下り壁８ａが裏面側から見てほぼ逆コ字形状に設けられている。これにより、ストッパー部３０は、下り壁８ａの６時側に位置する両側の上部縁部から６時側に向けてそれぞれ突出して設けられている。
【００７７】
このストッパー支点部３０は、図１６および図１９に示すように、一対の支持突起部２６に設けられた各弾性突起部３１を弾力的に係止するように構成されている。すなわち、これら各弾性突起部３１は、一対の支持突起部２６の６時側に位置する下端部の各外面に、スタンド５の脚部５ａの長手方向に対して直交する方向にそれぞれ突出して設けられている。
【００７８】
この場合、一対の支持突起部２６は、図１６（ａ）および図１６（ｂ）に示すように、その各下部側が互いに接離する方向に向けて撓み変形するように構成されている。これにより、各弾性突起部３１は、図１９に示すように、支持突起部２６が回転支点部２８を中心に回転して支持突起部２６の規制部２６ｃが当接支点部２９に当接した際に、第２の挿入部８に設けられたストッパー支点部３０間に弾力的に挟まって係止されるように構成されている。
【００７９】
すなわち、各弾性突起部３１は、図１６および図１９に示すように、第２の挿入部８に設けられたストッパー支点部３０間に挿入する際に、一対の支持突起部２６が互いに接近する方向に向けて撓み変形することにより、ストッパー支点部３０間に弾力的に挟まるように構成されている。この場合、第１の挿入部７の底部側に位置する両側面には、図１７（ａ）および図１７（ｂ）に示すように、一対の支持突起部２６が第１の挿入部７内に挿入された際に、各弾性突起部３１が挿入する開口部７ｂがそれぞれ設けられている。
【００８０】
ところで、一対の支持突起部２６間には、図１６〜図１９に示すように、一対の支持突起部２６が回転支点部２８を中心に回転する際に、第２の挿入部８における１２時側（図１８では左側）の縁部に位置する当接支点部２９の内端部に接触して摺動する湾曲部３２が設けられている。
【００８１】
この湾曲部３２は、図１８および図１９に示すように、一対の支持突起部２６の各受け部２６ａが接触する回転支点部２８を中心とする円弧状に形成されている。すなわち、この湾曲部３２は、一対の支持突起部２６間に位置し、一対の支持突起部２６の各規制部２６ｂの下端から一対の支持突起部２６の上下方向におけるほぼ中間部に亘って突出して設けられている。
【００８２】
次に、この時計のスタンド機構２５の作用について説明する。
この時計を卓上などの載置面Ｔ上に立て掛けて使用する場合には、第１実施形態と同様、スタンド５を時計ケース１の収納部４から取り外し、この取り外したスタンド５の各一対の支持突起部２６を収納部４の各第２の挿入部８に挿入する。
【００８３】
このときには、図１８に示すように、一対の支持突起部２６と脚部５ａとの各角部の各受け部６ａが第２の挿入部８の回転支点部２８に接触し、一対の支持突起部２６の湾曲部３２の中間部が第２の挿入部８の１２時側の縁部に位置する当接支点部２９の内端部に接触し、一対の支持突起部２６の各弾性突起部３１が第２の挿入部８の下り壁８ａの内面に弾力的に接触して配置される。
【００８４】
この状態で、スタンド５の脚部５ｂを時計ケース１の裏面から離れる方向に引き上げる。すると、一対の支持突起部２６が回転支点部２８を中心に反時計回りに回転する。このときには、一対の支持突起部２６間から突出した湾曲部３２が当接支点部２９の内端部に接触した状態で摺動すると共に、一対の支持突起部２６の下端部に位置する各弾性突起部３１が第２の挿入部８の下り壁８ａの内面に弾接した状態で摺動する。
【００８５】
そして、スタンド５が予め定められた角度、つまり４０度前後の角度に傾くと、図１９に示すように、一対の支持突起部２６の各規制部２６ｂが第２の挿入部８の当接支点部２９に当接して一対の支持突起部２６の回転が規制される。このときには、一対の支持突起部２６の下端部に位置する各弾性突起部３１が第２の挿入部８の下り壁８ａの内面から離脱して一対のストッパー支点部３０間に弾力的に挟まる。
【００８６】
これにより、一対の支持突起部２６は、図１９に示すように、スタンド５を時計ケース１の裏面に対して予め定められた角度、つまり４０度前後の角度で傾けた状態で、保持部２７の３支点部によって第２の挿入部８に保持される。すなわち、一対の支持突起部２６は、前側下部の各受け部２６ａが第２の挿入部８の回転支点部２８に支持され、後端上部の各規制部２６ｂが第２の挿入部８の当接支点部２９に当接して位置規制され、下部後端の各弾性突起部３１が第２の挿入部８に設けられた一対のストッパー部３０間に弾力的に係止される。
【００８７】
このように、一対の支持突起部２６が時計ケース１のリアケース１ｂに設けられた第２の挿入部８に保持されて固定されると、第１実施形態と同様、スタンド５が時計ケース１の裏面に４０度前後の角度に傾いた状態で取り付けられる。このため、このスタンド５によって時計ケース１を卓上などの載置面Ｔ上に立て掛けて配置することができる。
【００８８】
また、スタンド５の一対の支持突起部２６を収納部４の第２の挿入部８から取り外す場合には、一対のストッパー支点部３０間に挟まれている一対の支持突起部２６の各弾性突起部３１の弾性力に抗して、スタンド５を時計ケース１の裏面に向けて押し付ける。このときには、一対の支持突起部２６が回転支点部２８を中心に時計回りに回転して、一対の支持突起部２６間から突出した湾曲部３２が当接支点部２９の内端部に接触した状態で摺動すると共に、一対の支持突起部２６の各弾性突起部３１が第２の挿入部８に設けられた一対のストッパー部３０間から離脱する。
【００８９】
この状態で、一対の支持突起部２６が回転支点部２８を中心に更に時計回りに回転すると、一対の支持突起部２６間から突出した湾曲部３２が当接支点部２９の内端部に接触した状態で摺動すると共に、一対の支持突起部２６の各弾性突起部３１が第２の挿入部８の下り壁８ａ間に弾力的に挟まれて摺動し、一対の支持突起部２６の各規制部２６ｂが第２の挿入部８の当接支点部２９の上側に移動する。この状態で、一対の支持突起部２６を引き上げると、一対の支持突起部２６が第２の挿入部８から取り出せる。
【００９０】
このように、この時計のスタンド機構２５によれば、第１実施形態と同様、スタンド５を収納部４内に収納したときの一対の支持突起部２６の位置と、スタンド５で時計ケース１を載置面Ｔ上に立て掛けたときの一対の支持突起部２６の位置と、を変えることができるので、一対の支持突起部２６を第１の挿入部７に挿入した際に、スタンド５が時計ケース１の外周から食み出すことがなく、時計ケース１の収納部４にスタンド５を収納することができる。
【００９１】
また、このスタンド機構２５では、一対の支持突起部２６を第２の挿入部８に挿入してスタンド５を時計ケース１から離れる方向に回転させるだけで、保持部２７の３支点部によって簡単にスタンド５を時計ケース１に対して傾けて取り付けることができる。これにより、第１実施形態と同様、スタンド５と時計ケース１とを単純な形状で形成することができる。
【００９２】
この場合、保持部２７の３支点部は、一対の支持突起部２６が第２の挿入部８に挿入した状態でスタンド５が回転する際の回転支点部２８と、スタンド５が予め定められた角度、例えば４０度前後の角度に回転した際に一対の支持突起部２６が当接する当接支点部２９と、一対の支持突起部２６が当接支点部２９に当接した際に一対の支持突起部２６を弾力的に係止するストッパー支点部３０と、を有していることにより、第１実施形態と同様、スタンドの５の一対の支持突起部２６を第２の挿入部８に確実にかつ良好に保持して固定することができる。
【００９３】
すなわち、一対の支持突起部２６は、その前端上部の各受け部６ａが第２の挿入部８の回転支点部２８に支持され、後端上部の各規制部２６ｂが第２の挿入部８の当接支点部２９に当接して位置規制され、下部後端の弾性突起部３１が第２の挿入部８の下部に設けられたストッパー部３０間に弾力的に挟まれるので、一対の支持突起部２６を第２の挿入部８に確実にかつ良好に保持して固定することができる。
【００９４】
すなわち、このスタンド機構２５では、一対の支持突起部２６を第２の挿入部８に挿入させて回転させるだけの簡単な操作で、一対の支持突起部２６を第２の挿入部８に保持部２７の３支点部によって確実にかつ良好に保持して固定することができると共に、支持突起部６の付け根部分で外力を受け止めることができるので、大きな負荷にも十分に耐えることができる。
【００９５】
この場合、一対の支持突起部２６に設けられた各弾性突起部３１は、一対の支持突起部２６が回転支点部２８を中心に回転して、ストッパー部３０間に挟まれる際に、一対の支持突起部２６が互いに接離する方向に撓み変形することにより、各弾性突起部３２をストッパー部３０間に弾力的に挟むことができ、これにより一対の支持突起部２６を確実にかつ良好に保持して固定することができる。
【００９６】
さらに、このスタンド機構２５によれば、一対の支持突起部２６が回転支点部２８を中心に回転する際に第２の挿入部８の縁部に接触して摺動する湾曲部３２が、一対の支持突起部２６に設けられていることにより、一対の支持突起部２６を第２の挿入部８に挿入させた状態で、回転支点部２８を中心に一対の支持突起部を回転させる際に、一対の支持突起部２６の湾曲部３２を第２の挿入部８の縁部に接触させた状態で摺動させることができるので、第２の挿入部８内において一対の支持突起部２６がガタツクことがなく、支持突起部２６を円滑にかつ良好に回転させることができる。
【００９７】
なお、上述した第１〜第３の各実施形態およびその変形例では、時計に適用した場合について述べたが、必ずしも時計である必要はなく、例えば平面型の表示デバイスなどの電子機器や写真立てなどにも適用することができる。
【００９８】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００９９】
（付記）
請求項１に記載の発明は、支持突起部が設けられたスタンドと、前記スタンドを収納する収納部に前記支持突起部が挿入される第１の挿入部が形成されていると共に、前記第１の挿入部と異なる位置に第２の挿入部が形成されたケースと、前記支持突起部が前記第２の挿入部に挿入された状態で前記スタンドが前記ケースから離れる方向に予め定められた角度回転した際に、前記支持突起部を前記第２の挿入部に３支点部で保持する保持部と、を備えていることを特徴とするスタンド支持機構である。
【０１００】
請求項２に記載の発明は、請求項１に記載のスタンド機構において、前記保持部の前記３支点部は、前記支持突起部が前記第２の挿入部に挿入した状態で前記スタンドが回転する際の回転支点部と、前記スタンドが予め定められた角度に回転した際に前記支持突起部が当接する当接支点部と、前記支持突起部が前記当接支点部に当接した際に前記支持突起部を弾力的に係止するストッパー支点部と、を有していることを特徴とするスタンド機構である。
【０１０１】
請求項３に記載の発明は、請求項１または請求項２に記載のスタンド機構において、前記支持突起部には、前記スタンドが前記回転支点部を中心に回転する際に、前記第２の挿入部の縁部に接触して摺動する湾曲部が設けられていることを特徴とするスタンド機構である。
【０１０２】
請求項４に記載の発明は、請求項１〜請求項３のいずれかに記載のスタンド機構において、前記第２の挿入部に弾性変形可能に設けられた弾性支持部を備え、この弾性支持部に前記ストッパー支点部が設けられ、前記支持突起部が前記回転支点部を中心に回転する際に、前記支持突起部によって前記弾性支持部が弾性変形して前記支持突起部を前記ストッパー支点部に弾力的に係止させることを特徴とするスタンド機構である。
【０１０３】
請求項５に記載の発明は、請求項１〜請求項３のいずれかに記載のスタンド機構において、前記支持突起部に弾性変形可能に設けられた弾性突起部を備え、前記支持突起部が前記回転支点部を中心に回転して前記第２の挿入部に設けられた前記ストッパー支点部に当接した際に、前記弾性突起部が弾性変形して前記ストッパー支点部に弾力的に係止されることを特徴とするスタンド機構である。
【０１０４】
請求項６に記載の発明は、請求項１〜請求項５のいずれかに記載されているスタンド機構を備えていることを特徴とする時計である。
【符号の説明】
【０１０５】
１  時計ケース
３、２０、２５  スタンド機構
４  収納部
５  スタンド
５ａ、５ｂ  脚部
６、２６  支持突起部
６ａ、２６ａ  受け部
６ｂ、２６ｂ  規制部
６ｃ  当接部
７  第１の挿入部
８  第２の挿入部
１０、２７  保持部
１１、２８  回転支点部
１２、２９  当接支点部
１３、３０  ストッパー支点部
１４  弾性支持部
１５、２１、３２  湾曲部
２２、２３  第１、第２の各傾斜面
３１  弾性突起部
【図１】
2015140856.tif 000003
【図２】
2015140856.tif 000004
【図３】
2015140856.tif 000005
【図４】
2015140856.tif 000006
【図５】
2015140856.tif 000007
【図６】
2015140856.tif 000008
【図７】
2015140856.tif 000009
【図８】
2015140856.tif 000010
【図９】
2015140856.tif 000011
【図１０】
2015140856.tif 000012
【図１１】
2015140856.tif 000013
【図１２】
2015140856.tif 000014
【図１３】
2015140856.tif 000015
【図１４】
2015140856.tif 000016
【図１５】
2015140856.tif 000017
【図１６】
2015140856.tif 000018
【図１７】
2015140856.tif 000019
【図１８】
2015140856.tif 000020
【図１９】
2015140856.tif 000021